(57)【要約】【課題】多方面に応用可能な生活習慣病改善飲料水製造方法の提供。【解決手段】  市水道水、井水及び天然水等を原料水とし、一切の有機物を添加しないで水本来の持っている機能を拡大させる方法で処理した。図１より１から２を通過し３で蒸気を発生させ、４を１４で冷却し蒸留水を５で脱気水の中の気体を放出させ、脱気水中に水素ガスを注入、６と７と２種類の触媒とで水分子間の気体を水素ガスに置換、８と１０で循環。１１の水素ガスを１２と１３から入れ、１０で循環。その時循環した水の温度が上がらないように４を１４で冷却。完成した水は９から取り出す。セラミック触媒や金属触媒はプラチナ金属や酸化チタン金属など食品添加物認定品が選択される。 凍結温度以上で２−７２時間程度攪拌し溶存水素濃度判定試薬やポータブル溶存水素計（ＥＮＨ−１０００）で検知できないことを確認した多方面に応用可能な生活習慣病改善飲料水を生成する。【選択図】図１
2020175335.tif 000002
【特許請求の範囲】
【請求項１】
原料水を脱気し４の熱交換器を１４の冷却水で冷却しながら５のナノバブル発生器で脱気を促し６のセラミック触媒、７の金属触媒と２種類の酸化触媒で数時間流速２ｍ／ｓ以上の流速で数時間循環させる。この時間は２時間以上７２時間でもいいが実験では４８時間が好ましい多方面に応用可能な生活習慣病改善飲料水製造方法。
【請求項２】
市水や井水など水道基準に適合している水から作る多方面に応用可能な生活習慣病改善飲料水製造方法。
【請求項３】
５のナノバブル発生器の直前に加圧された水素ガスを注入する濃縮された処理水ができる多方面に応用可能な生活習慣病改善飲料水製造方法。
【請求項４】
前記方法による生活習慣病改善飲料水はそのままや３０００倍程度まで市水やミネラル水等に希釈しても効果がある多方面に応用可能な生活習慣病改善飲料水製造方法。
【請求項５】
製造最終時に添加した水素ガスが簡易残留水素測定器や検知器で測定できない組成構造を持った多方面に応用可能な生活習慣病改善飲料水製造方法。
【請求項６】
農作物の水やりに添加させ肥料の軽減やパン製造時の酵母発酵、酒類の熟成改質に利用もできる。図３は焼き上げた食パンで図中のＡは無添加Ｂは処理した水を１％添加しパン素材を１５％減らして作ったもので食感やパンの匂いや成熟感が引き出させる多方面に応用可能な生活習慣病改善飲料水製造方法。
【請求項７】
放射線汚染土から放射線を吸収し汚染度合いを軽減可能な多方面に応用可能な生活習慣病改善飲料水製造方法。表１は福島県郡山市役所の協力で測定したもので当設備で加工した水で汚染土を溶解したものが誘電振動で容易に処理ができる。
【表１】
2020175335.tif 000005
【請求項８】
処理後の水は水素水と異なり常温常圧でプラスチック容器でも２年以上の保存ができる多方面に応用可能な生活習慣病改善飲料水製造方法。
【請求項９】
処理後にできた多方面に応用可能な生活習慣病改善飲料水の検査表で表２の（Ｂ）（Ｃ）（Ｄ）の３種の水ができるので紫外線可視分光光度計（ＵＶ−１７００）の測定値が表２の範疇とする多方面に応用可能な生活習慣病改善飲料水製造方法。
【表２】
2020175335.tif 000006
【請求項１０】
加熱沸騰後も効能効果が減少しない多方面に応用可能な生活習慣病改善飲料水製造方法。
【発明の詳細な説明】
【技術分野】
【０００１】
本発明は、飲料水や農業、製薬、工業、産業等多方面に応用可能な生活習慣病改善飲料水製造方法である。
【背景技術】
【０００２】
特殊加工された本水は、水中や細胞の過酸化水素や活性酸素の消去能力や吸着能力は実験において確認されておりこれらの水独特の能力を大幅に拡大すれば過酸化水素や活性水素を最終的に水に変異させ糖尿病など様々な病気を改善する。
また吸収という能力はコーヒーの酸化物やアルコール飲料の食感の改良、農作物の改良などが可能である。
【先行技術文献】
【特許文献】
【０００３】
【特許文献１】特開２０１８−６８１５０
【発明の概要】
【発明が解決しようとする課題】
【０００４】
市水や井水のみでこのような効果を持たすにはまず造水工程から始める必要がある。
本発明者は、脱気工程をふくむ作業で水素を水分子間に注入のみ添加物なしで多機能で多方面に応用可能な生活習慣病改善飲料水製造方法を検討した。
【０００５】
本発明は、上述した発明者の検討に基づいてなされたものである。
【課題を解決するための手段】
【０００６】
本発明は、原料水の脱気と軟水化した蒸留水を図２の工程を持った製造ラインで多くの産業に多方面に応用可能な生活習慣病改善飲料水製造方法で生成することを特徴とする飲料水製造方法である。図１はシステムのフローチャートである。
【０００７】
このような水製造方法により生成された水は、検知器や残留水素検知液で測定不可能な微細水素を含む色々な物質の吸収能力を増大し本飲料水を飲むことで体内の過酸化水素や活性酸素を除去する能力のある水を手軽に摂取することができ、これらの過酸化水素水や活性酸素の生成を減らすことができる為、この飲料水を飲んでいる人は、疲労回復や活性酸素が抑制されてガンや糖尿病などの病気にかかりにくくなる。
【０００８】
より具体的な製造方法としては、図１の３の蒸気ボイラー以後の工程を雰囲気中で行い原料水を加圧状態で混ぜ合わせる方法が挙げられる。
【０００９】
加圧圧力は０．１から０．３メガパスカル程度の低い圧力下で行えばよく、高圧力下で作る水素水製造工程のような巨大な圧力は必要ない。
【発明の効果】
【００１０】
このように構成した本発明によれば、多方面に応用可能な生活習慣病改善飲料水製造方法で生成することができ、飲料水に数パーセント添加すれば体内に容易に摂取することができる。表３は胃癌患者が飲用した血液データーで短期間に改善が見られる。大学病院の初期診断で胃癌と肝臓転移、ステージ４と診断されたが１年８ヶ月後にはステージ１と診断されるまでに回復、外科的な手術で胃をとったが術後の抗がん剤や放射線治療は必要なしと言われた。表４は動物病院で病気の猫の血液検査結果である。短期間治療で血液はほぼ正常になった。図３は食パンの加工水に２％ほどの本水添加時と無添加時の写真である。Ａが無添加Ｂが添加したものを焼き上げた写真で、本水の成果の一例である。
【表３】
2020175335.tif 000003
【表４】
2020175335.tif 000004
【図面の簡単な説明】
【００１１】
【図１】本発明に係る構成部品のフローチャートである。
【図２】水路と水の流れの方向などを書き入れた配管図である。
【図３】本処理水を添加なしと添加ありで焼き上げた食パンの説明図である。
【発明を実施するための形態】
【００１２】
以下に本発明に係る多方面に応用可能な生活習慣病改善飲料水製造方法の実施形態について説明する。
【００１３】
本発明に係る多方面に応用可能な生活習慣病改善飲料水製造方法料水製造で生成する方法である。
【００１４】
原料水としては、上水、井水などが挙げられる。純水や超純水は水中の微小金属イオンもこの水を製造するのに役立っているのでこれらは使用を避けるべきである。
【００１５】
図１のフローチャートのように２の軟水器３の蒸気ボイラーで水蒸気を作り、４の熱交換器を１４の冷却水で復水したものを原料水とし、１０の循環ポンプで毎分５リットルから４０リットルを循環させる。基本的には２０Ａの配管で毎分２０リットルぐらいが好ましい。水路途中に１３の水素注入口、５のナノバブル発生器、６のセラミック触媒と７の金属触媒の２方式の酸化触媒や５のナノバブル発生器で水に入っている気体や有機物を低圧の雰囲気中２時間以上循環させ水中のガス体を水素置換作業する。この作業は可燃性の水素を使用するので装置内の電源やスイッチはすべて防爆仕様で安全を満たす必要がある。
【００１６】
そして、本実施形態では原料水である市水や井水、天然水などをステンレス製の容器や配管で構成された閉鎖配管で、市水や井水など原水を水素で加圧した状態である程度の流速で混ぜ合わせ、２時間以上７２時間程度を水中水素濃度１．６ｐｐｍ以下で流速を保ちながら運転させ、停止時に残留水素計や試験紙で検知できないことを確認したものを飲料水として製造している。加圧状態で混合するための実施態様としては、金網状や球状の構造を持った触媒の流路が形成された攪拌装置を用いて市水や井水、天然水などを攪拌する方法である。これにより、長時間の運転により水が均一に混ざり合うとともに、流速によるプラチナ表面が溶解され分離しにくくなる。なお、プラチナの溶解量は蛍光Ｘ線測定器や液クロメートで測定しても検知できない程度が好ましい。
【００１７】
このような多方面に応用可能な生活習慣病改善飲料水製造方法料水水製造方法により製造された飲料水によれば、あまり高くない抗酸化能の水であるが血液や細胞表面の活性酸素吸着力が非常に大きく、この作用によりこの飲料水を飲んでいる人は体内の活性酸素が抑制倦怠感や生活習慣病や癌、糖尿病などの病気にかかりにくくなる。
【００１８】
なお、本発明は前記実施形態に限定されるものではない。
【００１９】
例えば、前記実施形態では原料水と水素を加圧状態で混ぜ合わせていたが、圧力をかけることなく原料水と水素とを混ぜ合わせても良いし、触媒中で水素なしで加圧加熱などをしてもそれなりのものができる。
【符号の説明】
【００２０】
１.原水供給口
２.軟水器
３.蒸気ボイラー
４.熱交換器
５.ナノバブル発生器
６.セラミック触媒
７.金属触媒
８.ストレージタンク
９.出水口
１０.循環ポンプ
１１.水素ガスボンベ
１２.調圧器
１３.水素注入口
１４.冷却水
【図１】
2020175335.tif 000007
【図２】
2020175335.tif 000008
【図３】
2020175335.tif 000009
【手続補正書】
【提出日】令和1年5月13日(2019.5.13)
【手続補正１】
【補正対象書類名】明細書
【補正対象項目名】００１０
【補正方法】変更
【補正の内容】
【００１０】
このように構成した本発明によれば、多方面に応用可能な生活習慣病改善飲料水製造方法で生成することができ、飲料水に数パーセント添加すれば体内に容易に摂取することができる。表３は胃癌患者が飲用した血液データーで短期間に改善が見られる。大学病院の初期診断で胃癌と肝臓転移、ステージ４と診断されたが５ヶ月後にはステージ１と診断されるまでに回復、外科的な手術で胃をとったが術後の抗がん剤や放射線治療は必要なしと言われた。表４は動物病院で病気の猫の血液検査結果である。短期間治療で血液はほぼ正常になった。図３は食パンの加工水に２％ほどの本水添加時と無添加時の写真である。Ａが無添加Ｂが添加したものを焼き上げた写真で、本水の成果の一例である。
【表３】
2020175335.tif 000010
【表４】
2020175335.tif 000011
【手続補正書】
【提出日】令和1年8月22日(2019.8.22)
【手続補正１】
【補正対象書類名】明細書
【補正対象項目名】全文
【補正方法】変更
【補正の内容】
【発明の詳細な説明】
【技術分野】
【０００１】
本発明は、飲料水や農業、製薬、工業、産業等多方面に応用可能な生活習慣病改善飲料水製造方法である。
【背景技術】
【０００２】
特殊加工された本水は、水中や細胞近くの過酸化水素や活性酸素の除去能力や吸着能力は実験において確認されており、これらの水独特の能力を大幅に拡大すれば過酸化水素や活性酸素を最終的に水に変異させ糖尿病など様々な病気を改善する。
また吸収という能力はコーヒーの酸化物やアルコール飲料の食感の改良、農作物の改良などが可能である。
【先行技術文献】
【特許文献】
【０００３】
【特許文献１】特開２０１８−６８１５０
【発明の概要】
【発明が解決しようとする課題】
【０００４】
市水道水、井水及び天然水等のみでこのような効果を持たすにはまず造水工程から始める必要がある。
本発明者は、脱気工程後の作業で水素ガスのみを注入し、他の添加物はなしで、多機能で多方面に応用可能な生活習慣病改善飲料水製造方法を検討した。
【０００５】
本発明は、上述した発明者の検討に基づいてなされたものである。
【０００６】
本発明は、原料水の脱気と軟水化した蒸留水を図２の工程を持った製造ラインで多くの産業に多方面に応用可能な生活習慣病改善飲料水製造方法で生成することを特徴とする飲料水製造方法である。図１はシステムのフローチャートである。
【０００７】
このような製造方法により生成された水は、溶存水素濃度判定試薬やポータブル溶存水素計（ＥＮＨ−１０００）で測定不可能な微細水素ガスを含み、色々な物質の吸収能力を増大する。本飲料水を飲むことで体内の過酸化水素や活性酸素を除去する能力のある水を手軽に摂取することができ、過酸化水素や活性酸素の生成を減らすことができる為、この飲料水を飲んでいる人は疲労回復や活性酸素の抑制によってガンや糖尿病などの病気にかかりにくくなる。
【０００８】
より具体的な製造方法としては、図１の３の蒸気ボイラー以後の工程を水素ガス雰囲気中で行い原料水を加圧状態で混ぜ合わせる方法が挙げられる。
【０００９】
加圧圧力は０．１から０．３メガパスカル程度の低い圧力下で行えばよく、高圧力下で作る水素水製造工程のような巨大な圧力は必要ない。
【発明の効果】
【００１０】
このように構成した本発明によれば、多方面に応用可能な生活習慣病改善飲料水を生成することができ、飲料水に数パーセント添加すれば体内に容易に摂取することができる。表３は胃癌患者が飲用した血液データーで短期間に改善が見られる。大学病院の初期診断で胃癌と肝臓転移、ステージ４と診断されたが１年８ヶ月後にはステージ１と診断されるまでに回復、外科的な手術で胃を摘出したが術後の抗がん剤や放射線治療は必要なしと言われた。表４は動物病院での病気の猫の血液検査結果である。短期間治療で血液はほぼ正常になった。図３は食パンの加工水に２％ほどの本水添加時と無添加時の写真である。Ａが無添加、Ｂが添加したものを焼き上げた写真で、本水の成果の一例である。
【表３】
2020175335.tif 000012
【表４】
2020175335.tif 000013
【図面の簡単な説明】
【００１１】
【図１】本発明に係る構成部品のフローチャートである。
【図２】水路と水の流れの方向などを書き入れた配管図である。
【図３】本処理水を添加なしと添加ありで焼き上げた食パンの説明図である。
【発明を実施するための形態】
【００１２】
以下に本発明に係る多方面に応用可能な生活習慣病改善飲料水製造方法の実施形態について説明する。
【００１３】
本発明に係る多方面に応用可能な生活習慣病改善飲料水製造方法で生成する方法である。
【００１４】
原料水としては、市水道水、井水及び天然水等が挙げられる。水中の微小金属イオンもこの水を製造するのに役立っているのでこれらを含まない純水や超純水は使用を避けるべきである。
【００１５】
図１のフローチャートのように２の軟水器３の蒸気ボイラーで水蒸気を作り、４の熱交換器を１４の冷却水で復水したものを原料水とし、１０の循環ポンプで毎分５リットルから４０リットルを循環させる。基本的には２０Ａの配管で毎分２０リットルぐらいが好ましい。水路途中１３の水素ガス注入口、５のナノバブル発生器、６のセラミック触媒と７の金属触媒の２方式の酸化触媒、５のナノバブル発生器で水に入っている気体や有機物を低圧の水素ガス雰囲気中で２時間以上循環させ水中のガス体を水素置換作業する。この作業は可燃性の水素ガスを使用するので装置内の電源やスイッチはすべて防爆仕様で安全を満たす必要がある。
【００１６】
そして、本実施形態では原料水である市水道水、井水及び天然水等をステンレス製の容器や配管で構成された閉鎖配管で、市水道水、井水及び天然水等原料水を水素ガスで加圧した状態である程度の流速で混ぜ合わせ、２時間以上７２時間程度流速を保ちながら運転させ、停止時に溶存水素濃度判定試薬やポータブル溶存水素計（ＥＮＨ−１０００）で検知できないことを確認したものを飲料水として製造している。加圧状態で混合するための実施形態としては、金網状や球状の構造を持った触媒の流路が形成された攪拌装置を用いて市水道水、井水及び天然水等を攪拌する方法である。これにより、長時間の運転により水が均一に混ざり合うとともに、流速により表面に水流が当たり、プラチナハニカムやプラチナメッキ部分により酸化物等が還元される。なお、プラチナの溶解量は蛍光Ｘ線分析装置（ＥＤＸ−７２０）や液体クロマトグラフで測定しても検知できないのが好ましい。
【００１７】
このような多方面に応用可能な生活習慣病改善飲料水製造方法により製造された飲料水は、あまり高くない抗酸化能の水であるが血液や細胞表面の活性酸素吸着力が非常に大きく、この作用によりこの飲料水を飲んでいると体内の活性酸素が除去され倦怠感や生活習慣病や癌、糖尿病などの病気にかかりにくくなる。
【００１８】
なお、本発明は前記実施形態に限定されるものではない。
【００１９】
例えば、前記実施形態では原料水と水素ガスを加圧状態で混ぜ合わせていたが、圧力をかけることなく原料水と水素ガスとを混ぜ合わせても良いし、触媒中で水素ガスなしで加圧加熱などをしてもそれなりのものができる。
【符号の説明】
【００２０】
１.原料水供給口
２.軟水器
３.蒸気ボイラー
４.熱交換器
５.ナノバブル発生器
６.セラミック触媒
７.金属触媒
８.ストレージタンク
９.出水口
１０.循環ポンプ
１１.水素ガスボンベ
１２.調圧器
１３.水素ガス注入口
１４.冷却水
【手続補正２】
【補正対象書類名】特許請求の範囲
【補正対象項目名】全文
【補正方法】変更
【補正の内容】
【特許請求の範囲】
【請求項１】
原料水を３の蒸気ボイラーで蒸発させ、４の熱交換器を１４の冷却水で冷却しながら５のナノバブル発生器で脱気を促し６のセラミック触媒、７の金属触媒と２種類の酸化触媒で数時間流速２ｍ／ｓ以上の流速で数時間循環させる。この時間は２時間以上７２時間でもいいが実験では４８時間が好ましい多方面に応用可能な生活習慣病改善飲料水製造方法。
【請求項２】
市水道水、井水及び天然水等水道基準に適合している水から作る多方面に応用可能な生活習慣病改善飲料水製造方法。
【請求項３】
５のナノバブル発生器の直前に加圧された水素ガスを注入する濃縮された処理水ができる多方面に応用可能な生活習慣病改善飲料水製造方法。
【請求項４】
前記方法による生活習慣病改善飲料水は出来た原液のままや３０００倍程度まで市水道水やミネラル水等に希釈しても効果がある多方面に応用可能な生活習慣病改善飲料水製造方法。
【請求項５】
製造最終時に添加した水素ガスが溶存水素濃度判定試薬やポータブル溶存水素計（ＥＮＨ−１０００）で測定できない組成構造を持った多方面に応用可能な生活習慣病改善飲料水製造方法。
【請求項６】
農作物の水やりに添加させ肥料の軽減やパン製造時の酵母発酵、酒類の熟成改質に利用もできる。図３は焼き上げた食パンで図中のＡは無添加、Ｂは処理した水を１％添加し強力粉を約１３％減らして作ったもので食感やパンの匂いや成熟感が引き出させる多方面に応用可能な生活習慣病改善飲料水製造方法。
【請求項７】
放射線汚染土から放射線を吸収し汚染度合いを軽減可能な多方面に応用可能な生活習慣病改善飲料水製造方法。表１は福島県郡山市役所の協力で測定したもので、当設備で加工した水で汚染土を溶解したものが誘電振動で容易に処理ができる。
【表１】
2020175335.tif 000014
【請求項８】
処理後の水は水素ガス含有水と異なり常温常圧でプラスチック容器でも２年以上の効能効果を保持できる多方面に応用可能な生活習慣病改善飲料水製造方法。
【請求項９】
処理後にできた多方面に応用可能な生活習慣病改善飲料水の検査表で表２の（Ｂ）（Ｃ）（Ｄ）の３種の水ができるので紫外線可視分光光度計（ＵＶ−１７００）の測定値が表２の範疇とする多方面に応用可能な生活習慣病改善飲料水製造方法。
【表２】
2020175335.tif 000015
【請求項１０】
加熱沸騰後も効能効果が減少しない多方面に応用可能な生活習慣病改善飲料水製造方法。
【手続補正４】
【補正対象書類名】図面
【補正対象項目名】全図
【補正方法】変更
【補正の内容】
【図１】
2020175335.tif 000016
【図２】
2020175335.tif 000017
【図３】
2020175335.tif 000018